(57)【要約】【課題】使用者に対して正しい使用方法を示すことにより保安性を確保することができる照明器具を提供する。【解決手段】照明器具１０は、器具本体１１と、器具本体１１に設けられたＬＥＤ発光部１２と、二重の中空であって内外に連通する連通部２９を有し、内側の筒部１５に導光部２５が設けられ、外側の筒部１６に装飾材２０を挿入可能な挿入部２７，３０が設けられ、挿入部２７，３０が開閉可能なセード１４と、を備える。【選択図】図４
2011150971.tif 000002
【特許請求の範囲】
【請求項１】
器具本体と、
前記器具本体に設けられたＬＥＤ発光部と、
二重の中空であって内外に連通する連通部を有し、内側の筒部に導光部が設けられ、外側の筒部に装飾材を挿入可能な挿入部が設けられ、前記挿入部が開閉可能なセードと、
を備える照明器具。
【請求項２】
前記導光部は、前記内側の筒部に導光シートが装着されている請求項１に記載した照明器具。
【請求項３】
前記導光部は、前記内側の筒部が導光材料で成形されている請求項１に記載した照明器具。
【請求項４】
前記挿入部は、前記セードの上部に設けられている請求項１〜請求項３のいずれかに記載した照明器具。
【請求項５】
前記挿入部は、前記セードの下部に設けられている請求項１〜請求項３のいずれかに記載した照明器具。
【発明の詳細な説明】
【技術分野】
【０００１】
本発明は、例えば天井から吊り下げられて設置されることにより部屋の雰囲気にアクセントを付与するペンダントに適用される照明器具に関する。
【背景技術】
【０００２】
従来の照明器具の一例として、光源の周囲に複数の透光性のパネルを所定間隔で配設したものがある（例えば、特許文献１参照）。
【先行技術文献】
【特許文献】
【０００３】
【特許文献１】特開２００５−１７４８９１号公報（図１、請求項１）
【発明の概要】
【発明が解決しようとする課題】
【０００４】
上記特許文献１に開示された従来の照明器具では、複数のパネルの間に形成される空間に立体的な造形物を収納するようにしている。しかし、上記特許文献１に開示された従来の照明器具では、空間内に使用者が砂や水等を入れてしまうことがないとは言えず、空間内に砂や水等を入れた場合、光源が発する熱を放熱させることができなくなるばかりか、空間内に水を入れた場合に漏電の虞がありうる。
従って、上記特許文献１に開示された従来の照明器具では、電気器具の保安面での確保が難しい。
【０００５】
本発明は、前述した課題を解決するためになされたものであり、その目的は、使用者に対して正しい使用方法を示すことにより保安性を確保することができる照明器具を提供することにある。
【課題を解決するための手段】
【０００６】
本発明に係る照明器具は、器具本体と、前記器具本体に設けられたＬＥＤ発光部と、二重の中空であって内外に連通する連通部を有し、内側の筒部に導光部が設けられ、外側の筒部に装飾材を挿入可能な挿入部が設けられ、前記挿入部が開閉可能なセードと、を備える。
【０００７】
本発明において、使用者が挿入部から砂や水等を入れてしまったとしても、連通部から砂や水等が排出されるために、使用者に対して、挿入部から砂や水等を入れてはいけないことが促される。
従って、本発明においては、挿入部から砂や水等を入れることができないようにして使用者に対して正しい使用方法を示すことにより保安性を確保することができる。
【０００８】
本発明に係る照明器具は、上記照明器具において、前記導光部は、前記内側の筒部に導光シートが装着されている。
【０００９】
本発明において、ＬＥＤ発光部からの光は導光シートにより内筒部材から面発光される。
従って、本発明においては、ＬＥＤ発光部からの光が内側に筒部から面発光されることにより全体的に明るい光の演出を行うことができる。
【００１０】
本発明に係る照明器具は、上記照明器具において、前記導光部は、前記内側の筒部が導光材料で成形されている。
【００１１】
本発明において、ＬＥＤ発光部からの光は内側の筒部を導光体として内部を進行する。
従って、本発明においては、内側の筒部の全体で光の演出を行うことができる。
【００１２】
本発明に係る照明器具は、上記照明器具において、前記挿入部は、前記セードの上部に設けられている。
【００１３】
本発明においては、装飾材がセードの上部の挿入部から挿入されるために、万が一に、装飾材を落としてしまったとしても、装飾材を外部へ落下させてしまうことがないので、装飾材の損傷を防止することができる。
【００１４】
本発明に係る照明器具は、上記照明器具において、前記挿入部は、前記セードの下部に設けられている。
【００１５】
本発明においては、装飾材がセードの下部の挿入部から挿入されるために、例えば床面側から装飾材の状態を確認しながら装飾材を確実に挿入することができる。
【発明の効果】
【００１６】
本発明の照明器具によれば、使用者が挿入部から砂や水等を入れてしまったとしても、連通部から砂や水等が排出されるために、使用者に対して、挿入部から砂や水等を入れてはいけないことが促される。
これにより、本発明の照明器具によれば、挿入部から砂や水等を入れることができないようにして使用者に対して正しい使用方法を示すことにより保安性を確保することができるという効果を有する。
【図面の簡単な説明】
【００１７】
【図１】本発明に係る第１実施形態の照明器具の側面図
【図２】図１の照明器具の上部蓋を取り外した平面図
【図３】図１の照明器具の底面図
【図４】図１の照明器具の垂直断面図
【図５】図１の照明器具の器具本体の垂直断面図
【図６】図１の照明器具に適用される装飾材の外観斜視図
【図７】本発明に係る第２実施形態の照明器具の側面図
【図８】図７の照明器具の垂直断面図
【図９】本発明に係る第３実施形態の照明器具の垂直断面図
【図１０】本発明に係る第４実施形態の照明器具の垂直断面図
【発明を実施するための形態】
【００１８】
以下、本発明の複数の実施形態に係る照明器具について図面を参照して説明する。
（第１実施形態）
本発明の第１実施形態である照明器具１０は、器具本体１１と、複数のＬＥＤ１３を有するＬＥＤ発光部１２と、二重の中空であって内筒部材（内側の筒部）１５および内筒部材１５とは別体の外筒部材（外側の筒部）１６を有するセード１４と、上部蓋１７と、下部蓋１８と、天井取付部材１９と、装飾材２０と、を備えて、天井施工面１から吊り下げられて設置されるペンダントに適用される。
図１、図２、図３に示すように、器具本体１１は円筒形状に形成された器具本体カバー２１を備え、上部の中央部から電源配線２２が上方に引き出されている。器具本体カバー２１には、下端縁寄りの外周円周上の１２０度間隔の位置において内筒部材１５を通じて外筒部材１６から支持部材２３がネジ込まれている。内筒部材１５は器具本体１１の器具本体カバー２１の外径寸法Ｄ１よりも大きい内径寸法Ｄ２を有する円筒形に形成されている。外筒部材１６は、内筒部材１５の外径寸法Ｄ３よりも大きい内径寸法Ｄ４で外径寸法Ｄ５を有する円筒形に形成されている。
【００１９】
図４に示すように、内筒部材１５は樹脂材料（アクリル）からなる導光材料を用いて成形されており、外筒部材１６は透光性を有する樹脂材料（アクリル）を用いて成形されている。内筒部材１５には導光シート（Ｌｉｇｈｔ  Ｇｕｉｄｅ  Ｓｈｅｅｔ）２４を装着した導光部２５が設けられている。内筒部材１５の外周面と外筒部材１６の内周面との間には装飾材２０を収容可能な収容部２６が設けられている。上部蓋１７は、メッキを施された金属製板部材により外筒部材１６の外径寸法Ｄ５に略等しい外径寸法で内筒部材１５の外径寸法Ｄ３よりもわずかに大きい内径寸法を有する円環形状に形成されており、内筒部材１５の上端内周面に内嵌されることにより収容部２６の上部挿入部２７を閉塞している。上部蓋１７は着脱自在であるために、必要に応じて内筒部材１５から取り外されることにより収容部２６の上部挿入部２７を開放する。上部蓋１７は、セード１４の上部を覆って配置されるために、使用時に虫等の飛翔生物や塵埃等が収容部２６内に侵入するのを防止することができる。
【００２０】
下部蓋１８は、上部蓋１７と同様にして、メッキを施された金属製板部材により外筒部材１６の外径寸法Ｄ５よりもわずかに小さい外径寸法で内筒部材１５の外径寸法Ｄ３よりもわずかに大きい内径寸法を有する円環形状に形成されており、内筒部材１５の下端内周面に挿入されてネジ２８が内筒部材１５にネジ込まれることにより内筒部材１５に着脱自在にネジ止められている。下部蓋１８が外筒部材１６の外径寸法Ｄ５よりもわずかに小さい外径寸法を有するために、下部蓋１８の外周面と外筒部材１６の内周面との間に砂や水等を通過させるための連通部２９が形成されている。下部蓋１８は支持部材２３を取り外して外筒部材１６を上方へずらしてからネジ２８を緩めて内筒部材１５から取り外されることにより収容部２６の下部挿入部３０を開放する。
【００２１】
図５に示すように、器具本体１１は、器具本体カバー２１の下端部に複数のＬＥＤ１３を有するＬＥＤ発光部１２が設けられており、器具本体カバー２１内に直流電源回路３１が収容されている。ＬＥＤ発光部１２は、ＬＥＤ１３がＲ、Ｇ、Ｂから選ばれた色を有してＬＥＤ基板３２上に実装されており、ＬＥＤ１３の光軸上にＬＥＤ１３からの直射光を拡散光に変換させるための光学レンズ３３が組付けられている。ＬＥＤ基板３２は直流電源回路３１に電気的に接続されている。直流電源回路３１は電源配線２２に電気的に接続されている。
【００２２】
図６に示すように、装飾材２０は、例えば透光性を有する紙材３４に所望の画像３５が描画されており、筒形状に丸められた状態で収容部２６内に挿入される。このとき、装飾材２０は上部蓋１７を取り外すとともに支持部材２３を取り外すことにより開放される上部挿入部２７から収容部２６へ挿入することができる。また、装飾材２０は支持部材２３を取り外して外筒部材１６を上方へずらしてからネジ２８を緩めて下部蓋１８を取り外して下方挿入部３０から収容部２６へ挿入することができる。装飾材２０としては、画像３５として部屋の雰囲気に合う種々の絵画や写真や店舗宣伝用の広告等が適用される。また、装飾材２０としては、画像３５が描画された紙材３４に代えて、袋入りの飴やドライフラワーや各種布や各種木や花や葉やビーズ等の使用者のオリジナル物品を適用することができる。
【００２３】
このような照明器具１０は、天井取付部材１９が天井施工面１に取り付けられることにより天井施工面１から吊り下げられて設置される。外部回路を通じて電源配線２２から直流電源回路３１に商用電源が与えられることにより直流電源回路３１により商用電源が直流電源に変換されてＬＥＤ基板３２に与えられてＬＥＤ１３が発光される。ＬＥＤ１３からの光は下方である床面に向けて照射されるとともに内筒部材１５の導光シート２４を介して内筒部材１５から均一に面発光されることにより、収容部２６内に収容されている装飾材２０の画像３５による影絵で部屋内の光の演出が行われる。このとき、使用者が収容部２６内に砂や水等を挿入したとしても砂や水等は連通部２９から排出されることになる。
【００２４】
本発明の第１実施形態の照明器具１０では、使用者が収容部２６に砂や水等を入れてしまったとしても、連通部２９から砂や水等が排出されるために、使用者に対して、収容部２６に砂や水等を入れてはいけないことが促される。
従って、本発明の第１実施形態の照明器具１０では、収容部２６に砂や水等を入れることができないようにして使用者に対して正しい使用方法を示すことにより保安性を確保することができる。
【００２５】
本発明の第１実施形態の照明器具１０では、ＬＥＤ発光部１２のＬＥＤ１３からの光は導光シート２４により内筒部材１５から面発光される。
従って、本発明の第１実施形態の照明器具１０では、ＬＥＤ１３からの光が内筒部材１５から面発光されることにより全体的に明るい光の演出を行うことができる。
【００２６】
本発明の第１実施形態の照明器具１０では、ＬＥＤ１３からの光は内筒部材１５を導光体として内部を進行する。
従って、本発明の第１実施形態の照明器具１０では、内筒部材１５の全体で光の演出を行うことができる。
【００２７】
本発明の第１実施形態の照明器具１０では、上部蓋１７を取り外して装飾材２０がセード１４の上部挿入部２７から収容部２６へ挿入されるために、万が一に、装飾材２０を収容部２６へ落としてしまったとしても、装飾材２０を外部へ落下させてしまうことがないので、装飾材２０の損傷を防止することができる。
【００２８】
本発明の第１実施形態の照明器具１０では、下部蓋１８を取り外して装飾材２０がセード１４の下部挿入部３０から収容部２６へ挿入されるために、例えば床面側から装飾材２０の状態を確認しながら装飾材２０を収容部２６へ確実に挿入することができる。
【００２９】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３０】
図７、図８に示すように、本発明の第２実施形態の照明器具４０は、収容部２６内に装飾物２０等を入れずに天井施工面１に設置される。照明器具４０は、下部蓋１８を用いないでもよい。
【００３１】
本発明の第２実施形態の照明器具４０は、第１実施形態と同様の作用効果を奏する。特に本実施形態では、収容部２６に装飾材２０を有さない導光部２５とすることによりシンプルな光の演出を行うことができる。
【００３２】
（第３実施形態）
次に、本発明の第３実施形態の照明器具について説明する。
図９に示すように、本発明の第３実施形態の照明器具５０は、器具本体カバー２１の上端縁寄りの外周円周上の１２０度間隔の位置において内筒部材１５を通じて外筒部材１６から支持部材２３がネジ込まれており、上部蓋１７を有さずに下部蓋１８のみが内筒部材１５に着脱自在に取り付けられている。
【００３３】
本発明の第３実施形態の照明器具５０は、第１実施形態と同様の作用効果を奏する。特に本実施形態では、器具本体１１がセード１４の上方に露出しないためにスマートな外観を得ることができる。
【００３４】
（第４実施形態）
次に、本発明の第４実施形態の照明器具について説明する。
図１０に示すように、本発明の第４実施形態の照明器具６０は、内筒部材６２と外筒部材６３とが一体成形されたセード６１を備える。セード６１には内筒部材６２の外周面と外筒部材６３の内周面との間に底板６４を有する収容部２６が設けられており、底板６４の一部に連通部２９が形成されている。
【００３５】
本発明の第４実施形態の照明器具６０は、第１実施形態と同様の作用効果を奏する。特に本実施形態では、内筒部材６２と外筒部材６３とが一体成形されているために作成工数が大幅に減少されることにより生産性の向上を図ることができる。
【００３６】
なお、前記各実施形態で使用した器具本体１１、ＬＥＤ発光部１２、天井取付部材１９等は例示したものに限定するものではなく適宜変更が可能である。
【符号の説明】
【００３７】
１０、４０、５０、６０  照明器具
１１  器具本体
１２  ＬＥＤ発光部
１４、６１  セード
１５、６２  内筒部材（内側の筒部）
１６、６３  外筒部材（外側の筒部）
２０  装飾材
２４  導光シート
２５  導光部
２７  上部挿入部（挿入部）
２９  連通部
３０  下部挿入部（挿入部）
【図１】
2011150971.tif 000003
【図２】
2011150971.tif 000004
【図３】
2011150971.tif 000005
【図４】
2011150971.tif 000006
【図５】
2011150971.tif 000007
【図６】
2011150971.tif 000008
【図７】
2011150971.tif 000009
【図８】
2011150971.tif 000010
【図９】
2011150971.tif 000011
【図１０】
2011150971.tif 000012